(57)【要約】【課題】容易に所定位置まで運搬でき、施工コストの低減を図ることが可能な地盤改良用杭を提供すること。【解決手段】地盤改良用杭２の補強リブ３ａ，３ｃの長手方向におけるバランスの中央位置に指掛け孔４ａ，４ｂを形成し、地盤改良杭２の運搬時に作業員が指掛け孔４ａ，４ｂに指を挿入して地盤改良用杭２を持ち上げるようにした。これによって作業者は地盤改良用杭２を安定して運搬することができ、運搬作業性が向上される。その結果、全体的な施工コストの低減を図ることができる。【選択図】図１
0003183549.tif 000002
【実用新案登録請求の範囲】
【請求項１】
長尺の芯部と、同芯部から放射状に複数枚設けられた板状の補強リブを有し、前記補強リブの先端寄りを斜状に形成することで前記芯部を頂点とした尖部を形成するようにした地盤改良用杭において、
少なくとも１枚の前記補強リブに指掛け孔を貫通形成したことを特徴とする地盤改良用杭。
【請求項２】
前記指掛け孔は、全長の長手方向におけるバランスの中央位置に配置されていることを特徴とする請求項１に記載の地盤改良用杭。
【請求項３】
前記補強リブは前記芯部の周方向に等間隔で偶数枚設けられ、一対の前記指掛け孔は相対向する前記補強リブにそれぞれ形成されていることを特徴とする請求項１又は２に記載の地盤改良用杭。
【請求項４】
前記指掛け孔は長手方向に延びる長孔状に形成され、同孔の内壁は波状に連続する４つ以上の円弧面状に形成されていることを特徴とする請求項１〜３のいずれかに記載の地盤改良用杭。
【請求項５】
前記補強リブの基端には叩打部が形成されていることを特徴とする請求項１〜４のいずれかに記載の地盤改良用杭。
【考案の詳細な説明】
【技術分野】
【０００１】
本考案は、地盤に打設して同地盤を安定・強化させる地盤改良用杭に関するものである。
【背景技術】
【０００２】
従来、下記特許文献のように多数の杭を地盤に打ち込んで同地盤の強度を向上させ、地盤のズレ・沈下・陥没等を防止する地盤改良工法がある。前記杭は円柱状の木製・金属製のものが使用されている。
【先行技術文献】
【特許文献】
【０００３】
【特許文献１】特開２００２−２７５８７９号公報
【特許文献２】特開２００５−３２５５１４号公報
【考案の概要】
【考案が解決しようとする課題】
【０００４】
しかしながら、従来の杭はその重量が１本当たり十数キロｋｇと重く、杭を打ち込む際には複数人の作業員で１本の杭を打ち込み位置まで運搬していた。そのため、作業性が非常に悪く、施工コストが高くなるという問題があった。
また、クレーン等の重機を使用して杭を打ち込み位置まで吊り上げ運搬する場合もあるが、重機を使用する場合にも重機を操縦する作業員や吊り上げられた杭を打ち込み位置まで誘導する作業員が必要となり、この場合も作業性が非常に悪く、施工コストが高くなるという問題があった。
本考案の目的とするところは、容易に所定位置まで運搬でき、施工コストの低減を図ることが可能な地盤改良用杭を提供することにある。
【課題を解決するための手段】
【０００５】
上記の目的を達成するための第１の手段として、長尺の芯部と、同芯部から放射状に複数枚設けられた板状の補強リブを有し、前記補強リブの先端寄りを斜状に形成することで前記芯部を頂点とした尖部を形成するようにした地盤改良用杭において、少なくとも１枚の前記補強リブに指掛け孔を貫通形成したことをその要旨とする。
また、第２の手段として、第１の手段に加え、前記指掛け孔は、全長の長手方向におけるバランスの中央位置に配置されていることをことをその要旨とする。
また、第３の手段として、第１又は第２の手段に加え、前記補強リブは前記芯部の周方向に等間隔で偶数枚設けられ、一対の前記指掛け孔は相対向する前記補強リブにそれぞれ形成されていることをその要旨とする。
また、第４の手段として、第１〜第３のいずれかの手段に加え、前記指掛け孔は長手方向に延びる長孔状に形成され、同孔の内壁は波状に連続する４つ以上の円弧面状に形成されていることをその要旨とする。
また、第５の手段として、第１〜第４のいずれかの手段に加え、前記補強リブの基端には叩打部が形成されていることをその要旨とする。
【０００６】
このような構成とすると、第１の手段として、作業者は補強リブに貫通形成された指掛け孔に指を挿入して地盤改良用杭を運搬する。このとき、作業者の指が指掛け孔内に通されているため地盤改良用杭を安定して運搬することができ、作業性が向上される。
【０００７】
また、第２の手段として、第１の手段に加え、指掛け孔は全長の長手方向におけるバランスの中央位置に配置されているため、作業者が地盤改良用杭を持ち上げた際、地盤改良用杭の長手方向のバランスが保持され、作業者は地盤改良用杭を安定して運搬することができ、より作業性が向上される。このバランスの取れる位置とはすなわち重心位置から横手方向への延長線上における位置であって、この延長線上であれば指掛け孔はどこにあってもバランスが取れることとなる。
【０００８】
また、第３の手段として、第１又は第２の手段に加え、指掛け孔を、相対向する補強リブにそれぞれ形成したことにより、地盤改良用杭が地盤上や搬送車等の荷台上で横方向に載置された際でも、必ず一方の指掛け孔が芯部の長手方向に延びる軸線よりも上方側に配置される。これにより、作業者は地盤改良用杭の運搬時において地盤改良用杭の向きを変えることなく素早く指掛け孔に指を挿入することができ、さらに作業性が向上される。
【０００９】
また、第４の手段として、第１〜第３の手段に加え、作業者が指掛け孔に指を挿入すると親指を除く４本の各指が各円弧面に接触する。このとき指と円弧面との接触面積は、一つの大きな曲率半径の円弧面と接触する場合の接触面積よりも大きくなる。接触面積が大きくなるとにより、指掛け孔に対する各指の接触抵抗が増加し、指掛け孔に対する指の移動が抑制され、作業者は地盤改良用杭をさらに安定して運搬することができる。
【考案の効果】
【００１０】
本考案では、複数の作業者や重機等を使用することなく、容易に地盤改良用杭を所定位置まで運搬でき、施工コストの低減を図ることが可能となる。
【図面の簡単な説明】
【００１１】
【図１】本考案の一例である実施の形態の杭を示す図であり、（ａ）は地盤改良用杭の斜視図、（ｂ）は地盤改良用杭の正面図、（ｃ）は（ｂ）のＢ−Ｂ線断面図。
【図２】同じ実施の形態の指掛け孔の形状を示す杭の部分正面図。
【図３】同じ実施の形態の地盤改良用杭を地盤に打ち込んだ状態における模式的な正断面図。
【図４】（ａ）は補強リブが地盤に対して斜めに傾いている状態で地盤上に地盤改良用杭が載置されている状態を示す断面図、（ｂ）は補強リブが地盤に対して垂直（水平）な状態で地盤上に地盤改良用杭が載置されている状態を示す断面図。
【図５】他の実施の形態の指掛け孔の形状を示す杭の部分正面図であり、（ａ）は４つの円形状の指掛け孔を有する杭の部分正面図、（ｂ）は小判形状の指掛け孔を有する杭の部分正面図、（ｃ）は長方形状の指掛け孔を有する杭の部分正面図。
【考案を実施するための形態】
【００１２】
以下、本考案の地盤改良用杭を具体化した実施の形態を図面に基づいて説明する。
図１（ａ）〜（ｃ）に示すように、強化プラスチック製の地盤改良用杭２の芯部２ａの周囲には等間隔で４枚の補強リブ３ａ，３ｂ，３ｃ，３ｄが放射状に一体形成されている。芯部２ａの上部には叩打部としての円板状の頭部２ｂが一体形成され、補強リブ３ａ〜３ｄ下部は打ち込みしやすいように芯部を頂点とした先細りの尖部２ｃとされている。補強リブ３ａ〜３ｄにおいて相対向する２枚のリブ３ａ，３ｃには同形状の指掛け孔４ａ，４ｂがそれぞれ貫通形成されている。
各指掛け孔４ａ，４ｂは２枚の補強リブ３ａ，３ｃの全長の長手方向におけるバランスの中央位置となる位置に形成されている。つまり、図１及び図２に示すように、各指掛け孔４ａ，４ｂは地盤改良用杭２の本体重心位置α（円で囲まれた位置にあるとする）から横手方向への延長線αＹ上にある２枚の補強リブ３ａ，３ｃに形成されている。指掛け孔４ａ，４ｂは長手方向に延びる長孔状に形成され、芯部２ａ側の指掛け孔４ａ，４ｂの内壁面は円弧面Ｒ１となっている。
円弧面Ｒ１と対向する側の指掛け孔４ａ，４ｂの内壁面には４つの小円弧面Ｒ２が波状に連続して形成されている。小円弧面Ｒ２は円弧面Ｒ１よりも小さい曲率半径の親指を除く４本指Ｆの断面形状に近いカーブで構成されている。
本実施の形態では地盤改良用杭２の全長は１８００ｍｍ、頭部２ｂの直径は２５０ｍｍ、重量は１３ｋｇとなっている。また、大円弧面Ｒ１の曲率半径は約５０ｍｍ、小円弧面Ｒ２の曲率半径は約１３ｍｍである。これら地盤改良用杭２の各サイズや重量の数値は一例であってこれらに限定されるものではない。
【００１３】
このように構成された地盤改良用杭２の作用について説明する。
本実施の形態では図３に示すように軟弱地盤の強度を向上させるべく地盤改良を行う際、施工エリアの地盤１に専用機材（ブレーカー、モンケン、パワーショベル等）で地盤改良用杭２を等間隔で多数本打ち込む。
地盤改良用杭２の打ち込み作業を行うに当たり、作業員が地盤改良用杭２を所定の打ち込み位置まで運搬する際には、図２に示すように作業員は地盤改良用杭２の指掛け孔４ａ，４ｂに親指を除く４本の指を挿通し（実際の作業時には一般に軍手のような手袋を使用する）、指を曲げて指掛け孔４ａ，４ｂの小円弧面Ｒ２に指（手の平側の第１関節から第２関節の部位）Ｆを密着させる。このとき、各指Ｆは自身と対向する小円弧面Ｒ２位置に納まるので指は長手方向側への移動が規制されて地盤改良用杭２が運びやすくなる。この状態で作業者はあたかも例えばかばんを持つかのように地盤改良用杭２を片手で持ち上げ、所定の打ち込み位置まで地盤改良用杭２を運搬する。
【００１４】
上記のように構成することで本実施の形態の地盤改良用杭２では以下のような効果を奏する。
【００１５】
（１）指掛け孔４ａ，４ｂは全長の長手方向におけるバランスの中央位置となる位置に形成されているため、作業者が地盤改良用杭２を持ち上げた際に地盤改良用杭２の長手方向のバランスが保持されることとなり、作業者は地盤改良用杭２を安定して運搬することができるため運搬作業性が向上する。その結果、より施工コストの低減を図ることができる。
（２）地盤改良用杭２の補強リブ３ａ，３ｃに指掛け孔４ａ，４ｂを形成し、地盤改良用杭２の運搬時に作業員が指掛け孔４ａ，４ｂに指Ｆを挿入して地盤改良用杭２を持ち上げるようにした。これにより、作業者の指Ｆは指掛け孔４ａ，４ｂの小円弧面Ｒ２に沿って配置されるため指掛け孔４ａ，４ｂ内で指が移動することなく地盤改良用杭を安定して運搬することができるため運搬作業性が向上する。その結果、施工コストの低減を図ることができる。
（３）指掛け孔４ａ，４ｂを、相対向する補強リブ３ａ，３ｃにそれぞれ形成したことにより、地盤改良用杭２が地盤１上や搬送車等の荷台上で横方向に載置された際でも、必ず一方の指掛け孔４ａ又は４ｂが芯部２の長手方向に延びる軸線よりも上方側に配置される。  すなわち、図４（ａ）に示すように、補強リブ３ａ，３ｃが地盤１に対して斜めに傾いている状態で地盤１上に地盤改良用杭２が載置されていても、片方の指掛け孔４ａ（４ｂ）は芯部２の長手方向に延びる軸線よりも上方側に配置される。
また、図４（ｂ）に示すように、補強リブ３ａ，３ｃが地盤１に対して垂直（水平）な状態で地盤１上に地盤改良用杭２が載置されていても、片方の指掛け孔４ａ（４ｂ）は芯部２の長手方向に延びる軸線よりも上方側に配置される。つまり、全４枚の補強リブ３ａ〜３ｄに指掛け孔４ａ，４ｂを形成することなく、地盤改良用杭２がどのような状態で地盤１等に載置されていても、少なくとも１つの指掛け孔４ａ（４ｂ）は芯部２の長手方向に延びる軸線よりも上方側に配置される。
このように常にいずれか１つの指掛け孔４ａ（４ｂ）は上方側に配置されることとなるため、作業者は地盤改良用杭２の運搬時において地盤改良用杭２の向きを変えることなく素早く指掛け孔４ａ（４ｂ）に指Ｆを挿入することが可能となる。
（４）指掛け孔４ａ，４ｂの内壁に４本指Ｆとそれぞれ対向接触する小円弧面Ｒ２を４つ形成し、指Ｆとの接触抵抗を増加させた。これにより、指掛け孔４ａ，４ｂに対する指Ｆの移動が抑制され、作業者は地盤改良用杭２をさらに安定して運搬することができる。
【００１６】
なお、この考案は、次のように変更して具体化することも可能である。
・地盤改良用杭２の形状は上記は一例である。
・地盤改良用杭２の補強リブ３ａ〜３ｄの枚数を３枚や６枚として実施してもよい。
・地盤改良用杭２の補強リブ３ａ，３ｃに形成した指掛け孔４ａ，４ｂの数を１リブ当たり２孔以上として実施してもよい。
・地盤改良用杭２の全補強リブ３ａ〜３ｄに指掛け孔４ａ，４ｂを形成して実施してもよい。
・地盤改良用杭２の形成位置を適宜変更して実施してもよい。
・地盤改良用杭２の材質をプラスチック以外の金属製や木製として実施してもよい。
・地盤改良用杭２の指掛け孔４ａ，４ｂの孔形状を図５に示すように変更して実施してもよい。すなわち、図５（ａ）の指掛け孔５は直径が指以上（直径２５ｍｍ程度）の真円形状の孔を４孔形成したもの。図５（ｂ）の指掛け孔６は小判形状の孔としたもの。また、図５（ｃ）の指掛け孔７は長方形状の孔としたものである。
その他、本考案の趣旨を逸脱しない態様で実施することは自由である。
【符号の説明】
【００１７】
１…地盤、２…地盤改良用杭、２ａ…芯部、３ａ，３ｂ，３ｃ，３ｄ…補強リブ、４ａ，４ｂ…指掛け孔。
【図１】
0003183549.tif 000003
【図２】
0003183549.tif 000004
【図３】
0003183549.tif 000005
【図４】
0003183549.tif 000006
【図５】
0003183549.tif 000007